(57)【要約】【課題】  照明装置の照射方向及び照射範囲をそれぞれ適正に変更できるようにする。【解決手段】  発光部と、前記発光部の前方に配置された光学部材と、前記発光部を備え、本体部に対して回動可能に保持される可動部と、前記可動部を駆動させる第１の駆動手段と、前記第１の駆動手段へ電力を供給する電源から電力が供給され、前記発光部と前記光学部材との相対位置が変更されるように、前記発光部及び前記光学部材の少なくとも一方を駆動させる第２の駆動手段と、前記第１の駆動手段及び前記第２の駆動手段の一方による駆動が行われているときに、前記第１の駆動手段及び前記第２の駆動手段の他方による駆動が行われないように制御する制御手段と、を有する。【選択図】  図５
2015004934.tif 000002
【特許請求の範囲】
【請求項１】
発光部と、
前記発光部の前方に配置された光学部材と、
前記発光部を備え、本体部に対して回動可能に保持される可動部と、
前記可動部を駆動させる第１の駆動手段と、
前記第１の駆動手段へ電力を供給する電源から電力が供給され、前記発光部と前記光学部材との相対位置が変更されるように、前記発光部及び前記光学部材の少なくとも一方を駆動させる第２の駆動手段と、
前記第１の駆動手段及び前記第２の駆動手段の一方による駆動が行われているときに、前記第１の駆動手段及び前記第２の駆動手段の他方による駆動が行われないように制御する制御手段と、を有することを特徴とする照明装置。
【請求項２】
前記制御手段は、前記第１の駆動手段による駆動を行わせる場合、前記発光部及び前記光学部材の少なくとも一方が前記可動部の回動軸に近づくように前記第２の駆動手段の駆動を行わせてから、前記第１の駆動手段による駆動を行わせることを特徴とする請求項１に記載の照明装置。
【請求項３】
前記制御手段は、前記第１の駆動手段による駆動を行わせる場合、前記発光部及び前記光学部材の少なくとも一方が移動可能な範囲内で前記可動部の回動軸に最も近づいた状態で、前記第１の駆動手段による駆動を行わせることを特徴とする請求項１または２に記載の照明装置。
【請求項４】
前記制御手段は、前記第１の駆動手段による駆動が終了した後、前記発光部及び前記光学部材の少なくとも一方が前記可動部の回動軸から離れるように前記第２の駆動手段の駆動を行わせることを特徴とする請求項２または３に記載の照明装置。
【請求項５】
前記電源から前記第１の駆動手段及び前記第２の駆動手段への電力供給を制御する電源制御手段と、を有し、
前記制御手段は、前記第１の駆動手段及び前記第２の駆動手段の一方に駆動のための電力供給が行われているときに、前記第１の駆動手段及び前記第２の駆動手段の他方に駆動のための電力供給が行われないように前記電源制御手段を制御することを特徴とする請求項１ないし４のいずれか１項に記載の照明装置。
【請求項６】
前記発光部を発光させるための電気エネルギーを充電させる充電制御手段を、有し、
前記制御手段は、前記第１の駆動手段または前記第２の駆動手段に駆動のための電力供給が行われているときに、前記発光部を発光させるための電気エネルギーの充電が行われないように前記充電制御手段を制御することを特徴とする請求項５に記載の照明装置。
【請求項７】
発光部を備えた可動部を本体部に対して回動可能に駆動させる第１の駆動手段と、前記第１の駆動手段へ電力を供給する電源から電力が供給され、前記発光部と当該発光部の前方に設けられた光学部材との相対位置が変更されるように、前記発光部及び前記光学部材の少なくとも一方を駆動させる第２の駆動手段と、を有する照明装置を用いた撮影を行う撮像装置であって、
前記第１の駆動手段及び前記第２の駆動手段の一方による駆動が行われているときに、前記第１の駆動手段及び前記第２の駆動手段の他方による駆動が行われないように制御する制御手段を有することを特徴とする撮像装置。
【請求項８】
照明装置と、撮像装置を含むカメラシステムであって、
前記照明装置は、
発光部と、
前記発光部の前方に配置された光学部材と、
前記発光部を備え、本体部に対して回動可能に保持される可動部と、
前記可動部を駆動させる第１の駆動手段と、
前記第１の駆動手段へ電力を供給する電源から電力が供給され、前記発光部と前記光学部材との相対位置が変更されるように、前記発光部及び前記光学部材の少なくとも一方を駆動させる第２の駆動手段と、を備え、
前記第１の駆動手段及び前記第２の駆動手段の一方による駆動が行われているときに、前記第１の駆動手段及び前記第２の駆動手段の他方による駆動が行われないように制御する制御手段を有することを特徴とするカメラシステム。
【請求項９】
発光部を備えた可動部を本体部に対して回動可能に駆動させる第１の駆動手段と、当該第１の駆動手段へ電力を供給する電源から電力が供給され、前記発光部と当該発光部の前方に配置された光学部材との相対位置が変更されるように、前記発光部及び前記光学部材の少なくとも一方を駆動させる第２の駆動手段と、を有する照明装置の制御方法であって、
前記第１の駆動手段及び前記第２の駆動手段の一方による駆動が行われているときに、前記第１の駆動手段及び前記第２の駆動手段の他方による駆動が行われないように制御する制御ステップを有することを特徴とする制御方法。
【発明の詳細な説明】
【技術分野】
【０００１】
本発明は、照明装置の照射方向や照射範囲を変更するための駆動制御に関するものである。
【背景技術】
【０００２】
従来、照明装置の光を天井等に向けて照射して天井等からの拡散反射光を被写体に照射する発光撮影（以下、バウンス発光撮影とする）が知られている。バウンス発光撮影によれば、照明装置の光を直接的ではなく間接的に被写体に照射することができるため、柔らかい光での描写が可能となる。
【０００３】
さらに、バウンス発光撮影における最適な照射方向を自動的に決定する技術も提案されている。特許文献１では、バウンスフラッシュ撮影時における天井へフラッシュを発光させるときの該フラッシュ発光部の角度を、カメラの上方にある物体迄の距離及び被写体距離情報により自動的に設定する技術が提案されている。
【先行技術文献】
【特許文献】
【０００４】
【特許文献１】特開平４−３４０５２７号公報
【発明の概要】
【発明が解決しようとする課題】
【０００５】
また、従来、撮像装置の焦点距離に合わせた照射範囲に光を照射できるように、照射範囲を変更可能な照明装置も知られている。
【０００６】
そこで、特許文献１に開示されたカメラにおいて、フラッシュ発光部の照射範囲を変更するための機構を適用した場合、以下のような問題が生じる。
【０００７】
特許文献１に開示されたカメラにおいて、フラッシュ発光部の角度を変更するためにステッピングモータ（Ｍ１）に電力を供給している間にフラッシュ発光部の照射範囲を変更するための機構に電力を供給すると、大きな電力が必要となる。そのため、電源の状態によっては、電力の供給が不十分となりフラッシュ発光部の角度を変更する動作とフラッシュ発光部の照射範囲を変更する動作が正常に実行されず、適正な角度や照射範囲とならない可能性がある。
【０００８】
そこで、本発明は、照明装置の照射方向及び照射範囲をそれぞれ適正に変更できるようにすることを目的とする。
【課題を解決するための手段】
【０００９】
上記目的を達成するために、本発明に係る照明装置は、発光部と、前記発光部の前方に配置された光学部材と、前記発光部を備え、本体部に対して回動可能に保持される可動部と、前記可動部を駆動させる第１の駆動手段と、前記第１の駆動手段へ電力を供給する電源から電力が供給され、前記発光部と前記光学部材との相対位置が変更されるように、前記発光部及び前記光学部材の少なくとも一方を駆動させる第２の駆動手段と、前記第１の駆動手段及び前記第２の駆動手段の一方による駆動が行われているときに、前記第１の駆動手段及び前記第２の駆動手段の他方による駆動が行われないように制御する制御手段と、を有することを特徴とする。
【発明の効果】
【００１０】
本発明によれば、照明装置の照射方向及び照射範囲をそれぞれ適正に変更できる。
【図面の簡単な説明】
【００１１】
【図１】本発明の実施の形態に係るカメラシステムの概略構成を示す図である。
【図２】ストロボ２００の可動部２００ｂの近傍のみを示した図である。
【図３】可動部２００ｂの位置を基準位置にした状態でのストロボ２００を、可動部２００ｂを回動させる際の回動軸側から照射方向に見た図である。
【図４】バウンス発光撮影時の処理を含めたストロボ２００の全体的な処理を示すフローチャート図である。
【図５】バウンス発光撮影時の処理を含めたストロボ２００の全体的な処理を示すフローチャート図である。
【発明を実施するための形態】
【００１２】
以下に、本発明の好ましい実施の形態を、添付の図面に基づいて詳細に説明する。
【００１３】
本実施形態に係るカメラシステムについて図１を用いて説明する。図１は、本実施形態に係るカメラシステムの概略構成を示すブロック図である。
【００１４】
図１に示すように、本実施形態に係るカメラシステムは、撮像装置であるカメラ１００、カメラ１００に着脱可能に装着された照明装置であるストロボ２００を含む。まず、カメラ１００の構成について説明する。
【００１５】
マイクロコンピュータ（以下、カメラマイコンとする）１０１は、ＣＰＵ、ＲＯＭ、ＲＡＭなどにより構成され、カメラ１００全体の動作を制御する。１０２は、赤外カットフィルタやローパスフィルタ等を含むＣＣＤ、ＣＭＯＳ等の撮像素子を有する撮像部であり、レンズ１０４を介して入射した光束に応じた画像信号を出力する。信号処理部１０３は、撮像部１０２から入力された画像信号に対して各種信号処理を行う。レンズ１０４は、被写体像を撮像部１０２の撮像素子に結像させ、ズームレンズを撮影光軸方向に移動させることで焦点距離を変更する。
【００１６】
操作部１０５は、焦点調節や測光等の撮影準備動作及び撮影動作の開始指示を行うためのレリーズボタンやレンズ１０４のズームレンズを移動させて焦点距離を変更するためのズームレバーなどを有する。
【００１７】
接続部１０６は、照明装置などのアクセサリを装着させるための取り付け部や取り付けられたアクセサリと情報の通信を行うための接点部などを有する。
【００１８】
次に、ストロボ２００の構成について図１、図２、図３を用いて説明する。図２は、本体部２００ａに対して回動可能に保持された可動部２００ｂの近傍のみを示した図であり、図３は、可動部２００ｂの位置を基準位置にした状態でのストロボ２００を、可動部２００ｂを回動させる際の回動軸側から照射方向に見た図である。すなわち、可動部２００ｂの位置を基準位置にした状態において、フレネルレンズ２１８と同じ方向を向く面を本体部２００ａの正面とすると、図３はストロボ２００を背面側から見た図である。本実施形態では、本体部２００ａにおいて可動部２００ｂと連結されている側を上側として、可動部２００ｂの本体部２００ａに対する駆動の上下方向及び左右方向を定義している。なお、図３では、可動部２００ｂを本体部２００ａに対して上下方向に回動させる機構を見やすくするため、外装の一部を省略している。
【００１９】
ストロボ制御部２０１は、ＣＰＵ、ＲＯＭ、ＲＡＭなどにより構成され、ストロボ２００全体の動作を制御する。電池２０２は、内蔵バッテリや外部電池など電源であり、電源制御回路２０３は、ストロボ制御部２０１の指示に従ってストロボ２００の各部への電池２０２の電力供給を制御する。
【００２０】
充電制御回路２０４は、電池２０２の電圧を数百Ｖに昇圧させメインコンデンサ２４０に電気エネルギーを充電させる。発光回路２０５は、発光部２３０の発光制御を行い、発光開始時には発光部２３０に含まれる光源としてのキセノン管２１６に数ＫＶのトリガ電圧を印加する。トリガ電圧を印加されたキセノン管２１６は励起してメインコンデンサ２４０に充電された電気エネルギーにより発光する。
【００２１】
バウンス駆動部２０６は、ストロボ制御部２０１の指示に従って可動部２００ｂを本体部２００ａに対して上下及び左右方向に駆動（回動）させる。図３では、可動部２００ｂを本体部２００ａに対して上下方向に駆動（回動）させるための機構の例として、モーター２１１、モーターピニオンギア２１２、ギア２１３を示していて、これらはバウンス駆動部２０６に含まれる。バウンス駆動部２０６は、ストロボ制御部２０１の指示に従ってモーター２１１を制御して、モーター２１１の駆動軸に固着されたモーターピニオンギア２１２の回転をギア２１３を介し不図示の内歯車に伝達させ、可動部２００ｂを上下方向に回動させる。
【００２２】
図３に示した機構と同様の機構を用いることで、可動部２００ｂを本体部２００ａに対して左右方向に駆動（回動）させることができるので、可動部２００ｂを本体部２００ａに対して左右方向に駆動（回動）させるための機構の説明は省略する。
【００２３】
なお、可動部２００ｂを本体部２００ａに対して上下及び左右方向に駆動（回動）させるための機構は、電力により駆動させるものであれば前述の例に限定されず、１つのモーターを上下方向の駆動と左右方向の駆動に兼用するような機構であってもよい。
【００２４】
バウンス駆動部２０６は、エンコーダー２１５により可動部２００ｂの基準位置からの駆動量や回動角度などを示す駆動情報を取得する。
【００２５】
操作部２０７は、オートバウンスを実行するか否かを切り換えるオートバウンススイッチ、発光部２３０の照射範囲を設定する設定スイッチ等を含んでいる。また、操作部２０７は、バウンス発光撮影時の照射方向を自動的に決定するための動作（以下、オートバウンス動作とする）を開始させるための自動決定スイッチを含んでいる。ストロボ制御部２０１は、自動決定スイッチが操作されると、充電制御回路２０４、バウンス駆動部２０６及びズーム駆動部２１０へオートバウンス動作の実行に伴う各種処理の指示を出力する。
【００２６】
接続部２０８は、撮像装置に取り付けるための取り付け部及び撮像装置との通信接点が設けられた接点部などが設けられていて、ストロボ制御部２０１は、接続部２０８の接点部を介して取り付けられた撮像装置と情報の通信を行う。
【００２７】
表示部２０９は、液晶や有機ＥＬなどを用いて画像を表示するもので、ストロボ２００の各種設定や各種設定を変更するためのメニュー画面などを表示する。
【００２８】
ズーム駆動部２１０は、ストロボ制御部２０１の指示に従ってズームモーター２１９を制御して、発光部２３０を移動させて発光部２３０と発光部２３０の前方（照射方向）に配置されたフレネルレンズ２１８との相対位置を変更する。また、ズーム駆動部２１０は、エンコーダー２２０により発光部２３０とフレネルレンズ２１８との相対位置を示す位置情報を取得する。ストロボ制御部２０１は、接続部２０８を介してカメラ１００からカメラ１００の焦点距離情報を取得して、取得した焦点距離情報に応じて最適な照射範囲となるようにズーム駆動部２１０に指示する。また、ストロボ制御部２０１は、操作部２０７への操作により設定された照射範囲となるようにズーム駆動部２１０に指示する。
【００２９】
受光センサ２２１は、発光部２３０を発光させたときに発光部２３０の照射方向に存在する反射物からの反射光を受光し、受光結果をストロボ制御部２０１に出力する。ストロボ制御部２０１は、受光センサ２２１の受光結果に基づいて照射方向に存在する反射物までの距離情報を算出する。また、ストロボ制御部２０１は、照射方向をカメラ１００の撮影方向に向けて発光部２３０を発光させたときと、照射方向を天井方向に向けて発光部２３０を発光させたときの各受光結果に基づいて、バウンス発光撮影に最適な照射方向を決定する。
【００３０】
発光部２３０は、光源であるキセノン管２１６とキセノン管２１６から発せられる光束をフレネルレンズ２１８の方向へ反射させる反射傘２１７とを含む。フレネルレンズ２１８は、入射した光束を屈折させる作用を有するプリズムが形成された光学部材である。
【００３１】
図２は、可動部２００ｂの近傍のみを示した図であり、図２（ａ）は、可動部２００ｂの位置を基準位置にした状態での発光部２３０を、可動部２００ｂを回動させる際の回動軸側から照射方向に見た図である。また、図２（ｂ）は、発光部２３０を移動可能な範囲内でフレネルレンズ２１８との相対位置が最も離れる位置（ＴＥＬＥ端側）に移動させた状態での、可動部２００ｂを本体部２００ａに対して上下方向に回動させる際の回動軸と直交する断面図である。
【００３２】
図２（ｂ）に示した状態では、発光部２３０から照射される光束は最も集光され照射範囲は最も狭くなる。そのため、カメラ１００の焦点距離が長い場合や発光部２３０から照射される光束を遠くまで効率よく届かせたい場合に有効である。また、図２に示した状態は、発光部２３０が移動可能な範囲内で、可動部２００ｂを本体部２００ａに対して上下方向に回動させる際の回動軸、及び、可動部２００ｂを本体部２００ａに対して左右方向に回動させる際の回動軸に最も近づく位置となる。そのため、可動部２００ｂを本体部２００ａに対して上下方向や左右方向に回動させる際に生じるモーメントを軽減することできる。
【００３３】
そこで、本実施形態では、可動部２００ｂを本体部２００ａに対して自動的に上下方向や左右方向に回動させる際には、発光部２３０を可動部２００ｂの回動軸に近づけてから可動部２００ｂを回動させる。このようにすることで、可動部２００ｂを本体部２００ａに対して自動的に回動させるときに、カメラ１００の接続部１０６とストロボ２００の接続部２０８との間に生じるガタに起因する接続部１０６や接続部２０８へのダメージを軽減できる。また、回動時に生じるモーメントが軽減するので、可動部２００ｂを回動させる際の駆動負荷を軽減することができる。
【００３４】
また、本実施形態では、バウンス発光撮影に最適な照射方向を決定するために発光部２３０を発光させる際には、発光部２３０を可動部２００ｂの回動軸に近づけた位置で発光させる。前述したように、発光部２３０を可動部２００ｂの回動軸に近づけるほど、発光部２３０から照射される光束は集光され照射範囲は狭くなる。そのため、同じシーンであっても発光部２３０を可動部２００ｂの回動軸に近づけるほど発光部２３０を発光させたときの反射光量が多くなり、受光センサ２２１の受光結果に基づいて決定される最適な照射方向の精度が高くなる。
【００３５】
次に、図４、図５を用いて、オートバウンス動作に関するストロボ２００の各種処理について説明する。図４、図５は、バウンス発光撮影時の処理を含めたストロボ２００の全体的な処理を示すフローチャート図である。
【００３６】
ストロボ２００の電源がＯＮ状態になると、Ｓ１０１にてストロボ制御部２０１が起動し、各部の初期化処理や外部ＥＥＰＲＯＭデータの読み込みや内部ＲＡＭなどのデータ初期化を行う。
【００３７】
ステップＳ１０２にてストロボ制御部２０１は、装着されているカメラ１００と情報の通信を行うために、通信設定を行う。ステップＳ１０３にてストロボ制御部２０１は、操作部２０７に含まれる各種スイッチの検出を行い、検出結果に応じた設定を行う。
【００３８】
ステップＳ１０４にてストロボ制御部２０１は、充電制御回路２０４に指示して、メインコンデンサ２４０の充電を開始させる。なお、充電制御回路２０４は、以降のステップの処理を実行している間もメインコンデンサ２４０の充電電圧をチェックして、充電電圧が所定値に達したら充電を停止する。また、ステップＳ１０４に移行したときに充電電圧が所定値以上であればさらに充電を行う必要はないと判断し本ステップは省略する。
【００３９】
ステップＳ１０５にてストロボ制御部２０１は、オートバウンス動作の実行指示があるか否かを判別する。オートバウンス動作の実行指示は、操作部２０７の自動決定スイッチが操作されることで発生する場合や、装着されたカメラ１００から送信される場合がある。オートバウンスの実行指示があった場合は図５のステップＳ１０６へ移行し、ステップＳ１０６にてストロボ制御部２０１は、充電制御回路２０４に指示してメインコンデンサ２４０の充電を停止させる。なお、すでに充電制御回路２０４がメインコンデンサの充電を停止しているときは、なにも処理を行わずに次のステップＳ１０７へ移行する。
【００４０】
ステップＳ１０７にて、ストロボ制御部２０１は、ズーム駆動部２１０に指示して発光部２３０を移動可能な範囲内でフレネルレンズ２１８との相対位置が最も離れる位置へ移動させる。これは、前述したように、可動部２００ｂを回動させる際に生じるモーメントを軽減するためである。そのため、発光部２３０をフレネルレンズ２１８との相対位置が最も離れる位置（回動軸に最も近づいた状態）まで移動させなくてもよい。すなわち、現在の位置よりもフレネルレンズ２１８との相対位置が離れる位置に（回動軸に近づくように）移動させれば、現在の位置よりもモーメントを軽減させることができる。
【００４１】
ステップＳ１０８にてストロボ制御部２０１は、発光部２３０の照射方向がカメラ１００の撮影方向に向いているか否かを判別する。ストロボ２００は、カメラ１００に装着された状態において、発光部２３０の照射方向がカメラ１００の撮影方向に向くような位置を可動部２００ｂの基準位置としている。そのため、ストロボ制御部２０１は、エンコーダー２１５から出力される駆動情報に基づいて可動部２００ｂの位置が基準位置か否かを判別する。
【００４２】
発光部２３０の照射方向がカメラ１００の撮影方向に向いていれば（可動部２００ｂの位置が基準位置であれば）ステップＳ１１０へ移行し、撮影方向に向いていなければ（可動部２００ｂの位置が基準位置でなければ）ステップＳ１０９へ移行する。
【００４３】
ステップＳ１０９にてストロボ制御部２０１は、バウンス駆動部２０６に指示して発光部２３０の照射方向がカメラ１００の撮影方向に向くように可動部２００ｂを回動させる。
【００４４】
ステップＳ１１０にてストロボ制御部２０１は、発光回路２０５に指示して発光部２３０を発光させる。また、発光部２３０が発光したときの受光センサ２２１の受光結果に基づいて、撮影方向に存在する反射物までの距離情報を算出する。
【００４５】
ステップＳ１１１にてストロボ制御部２０１は、発光部２３０の照射方向が天井方向に向くように、バウンス駆動部２０６に指示して可動部２００ｂを回動させる。このとき、標準的なカメラ１００の仕様姿勢においては、可動部２００ｂを基準位置から上方向に９０度回動させることで発光部２３０の照射方向が天井方向に向くとして、可動部２００ｂを基準位置から上方向に９０度回動させるように指示してもよい。なお、加速度センサなど、カメラ１００やストロボ２００が重力方向に対する前後及び左右の傾きを検出する姿勢検出部を有していれば、姿勢検出部の検出結果を用いることで、より正確に発光部２３０の照射方向を天井方向に向けることができる。
【００４６】
ステップＳ１１２にてストロボ制御部２０１は、発光回路２０５に指示して発光部２３０を発光させる。また、発光部２３０が発光したときの受光センサ２２１の受光結果に基づいて、天井方向に存在する反射物までの距離情報を算出する。
【００４７】
ステップＳ１１３にてストロボ制御部２０１は、ステップＳ１１０にて算出した撮影方向に存在する反射物までの距離情報とステップＳ１１２にて算出した天井方向に存在する反射物までの距離情報とに基づいて、バウンス発光撮影に最適な照射方向を決定する。
【００４８】
照射方向の決定方法については、例えば、天井方向に存在する反射物までの距離をｄ、撮影方向に存在する反射物までの距離をＤ、最適な照射方向となる可動部２００ｂの基準位置からの回動角度をθとして、以下の式（１）にて決定する方法がある。
θ＝ｔａｎ−１（２ｄ／Ｄ）      ・・・（１）
ステップＳ１１４にてストロボ制御部２０１は、バウンス駆動部２０６に指示してステップＳ１１３にて決定した照射方向に発光部２３０の照射方向が向くように可動部２００ｂを回動させる。
【００４９】
ステップＳ１１５にてストロボ制御部２０１は、ズーム駆動部２１０に指示してバウンス発光撮影に最適な照射範囲となるように発光部２３０を移動させる。なお、バウンス発光撮影に最適な照射範囲となる発光部２３０の位置は、予め実験やシミュレーション等を行い決定した設計値でもよいし、操作部２０７への操作により設定された照射範囲となる位置でもよい。あるいは、ステップＳ１１３にて決定した照射方向が撮影方向に近いほど発光部２３０から遠い反射物に反射させてバウンス発光撮影を行う可能性が高いので、ステップＳ１１３にて決定した照射方向に応じて最適な照射範囲は変化させてもよい。例えば、ステップＳ１１３にて決定した照射方向が撮影方向に近いほど、発光部２３０を可動部２００ｂの回動軸に近い位置に移動させるようにする。なお、ステップＳ１０７にて発光部２３０を回動軸に最も近づいた状態に移動させているため、最適な照射範囲となる発光部２３０の位置が回動軸に最も近づいた状態でなければ、本ステップでは回動軸から離れるように発光部２３０を移動させることになる。
【００５０】
ステップＳ１１６にてストロボ制御部２０１は、充電制御回路２０４に指示して、メインコンデンサ２４０の充電を開始させる。ここで、メインコンデンサ２４０の充電を開始させるのは、発光部２３０の照射方向を決定するための発光部２３０を発光させたため、充電電圧が低下しているからである。なお、ステップＳ１０６よりも前に充電が完了していて、発光部２３０の照射方向を決定するための発光により充電電圧が低下しても充電電圧が所定値以上であるならば本ステップを省略してもよい。
【００５１】
ステップＳ１０５にてオートバウンス動作の実行指示がないと判別した場合や、一連のオートバウンス動作が終了した後、ステップＳ１１７にてストロボ制御部２０１は、表示部２０９に指示してストロボ２００の各種設定を表示させる。オートバウンス動作が終了した後の場合には、オートバウンス動作により決定した照射方向を表す情報を表示する。
【００５２】
以上のように、本実施形態では、ストロボ２００の照射方向を変更するための駆動と照射範囲を変更するための駆動を同時に行わないようにしている。すなわち、ストロボ２００の照射方向を変更するための駆動と照射範囲を変更するための駆動の一方による駆動が行われているときに、照射方向を変更するための駆動と照射範囲を変更するための駆動の他方による駆動が行われないように制御している。そのため、ストロボ２００の照射方向を変更するための駆動源と照射範囲を変更するための駆動源の一方に電力供給が行われているときに他方に電力供給が行われず、照明装置の照射方向及び照射範囲をそれぞれ適正に変更できるようにすることができる。
【００５３】
また、本実施形態では、ストロボ２００の照射方向を変更するための駆動源や照射範囲を変更するための駆動源に対して電力を供給している間は、発光するための電気エネルギーの充電を行わないようにしている。そのため、ストロボ２００の照射方向を変更するための駆動中や照射範囲を変更するための駆動中に電力の供給が不十分となることが抑制され、照明装置の照射方向及び照射範囲をそれぞれ適正に変更できるようにすることができる。
【００５４】
なお、バウンス発光撮影に最適な照射方向を決定する方法は、本実施形態で説明した、天井方向に存在する反射物までの距離と撮影方向に存在する反射物までの距離とに基づいて決定する方法であってもよい。例えば、特開２０１１−２２１３６４号公報に記載されたような、複数の照射方向で発光部２３０をそれぞれ照射させながら各照射方向において測光を行い、得られた複数の測光結果に基づいて決定する方法を用いる場合でも、本発明は適用できる。
【００５５】
また、バウンス発光撮影に最適な照射方向を決定する機能を有していない照明装置であっても、それぞれに対応する駆動源に電力を供給して照射方向の変更と照射範囲の変更とを行う照明装置であれば、本発明を適用できる。
【００５６】
また、本実施形態では、撮像装置に着脱可能に装着される照明装置に適用した例を説明したが、それぞれに対応する駆動源に電力を供給して照射方向の変更と照射範囲の変更とを行う構成であれば、撮像装置に内蔵された照明装置に適用してもよい。その場合、ストロボ制御部２０１が行った各種指示を、カメラマイコン１０１が実行すればよい。
【００５７】
また、撮像装置と照明装置とを含むカメラシステムにおいては、算出処理、判別処理、各種指示などどちら側で実行してもよく、本実施形態でストロボ制御部２０１が実行した処理の少なくとも一部をカメラマイコン１０１で実行するようにしてもよい。
【００５８】
また、発光部２３０の照射範囲を変えるために、発光部２３０を移動させて発光部２３０とフレネルレンズ２１８との相対位置を変更させるのではなく、フレネルレンズ２１８を移動させて発光部２３０とフレネルレンズ２１８との相対位置を変更させてもよい。あるいは、発光部２３０とフレネルレンズ２１８の両方を移動させて発光部２３０とフレネルレンズ２１８との相対位置を変更させてもよい。すなわち、発光部２３０の照射範囲を変えるために、発光部２３０とフレネルレンズ２１８の少なくとも一方を駆動させればよい。フレネルレンズ２１８のみを移動させる場合や発光部２３０とフレネルレンズ２１８の両方を移動させる場合も、前述した発光部２３０のみを移動させる場合と同様に、可動部２００ｂを回動させるときには移動させないようにすればよい。
【００５９】
また、発光部２３０の照射範囲を変えるために、発光部２３０に含まれる構成要素の一部のみを移動させる構成であってもよい。例えば、反射傘２１７のみ移動して反射傘２１７とフレネルレンズ２１８との相対位置は変更されキセノン管２１６とフレネルレンズ２１８との相対位置は変更されない構成でも、発光部２３０は移動してフレネルレンズ２１８との相対位置は変更されると言える。
【符号の説明】
【００６０】
１００  カメラ
１０１  カメラマイコン
１０５  操作部
１０６  接続部
２００  ストロボ
２００ａ  本体部
２００ｂ  可動部
２０１  ストロボ制御部
２０２  電池
２０３  電源回路
２０４  充電制御回路
２０５  発光回路
２０６  バウンス駆動部
２０７  操作部
２０８  接続部
２１０  ズーム駆動部
２１８  フレネルレンズ
２３０  発光部
２４０  メインコンデンサ
【図１】
2015004934.tif 000003
【図２】
2015004934.tif 000004
【図３】
2015004934.tif 000005
【図４】
2015004934.tif 000006
【図５】
2015004934.tif 000007